(57)【特許請求の範囲】
【請求項１】
被写体の撮像を複数回繰り返し、複数の画像を生成する撮像部と、
前記複数回の撮像において、それぞれ異なる発光量で前記被写体を照明する発光部と、
前記複数の画像のうち、少なくとも１枚の画像に対してローパス処理を行い、ローパス画像を生成するローパス処理部と、
階調の中間部において、コントラストを強める入出力特性を有する第１階調カーブと、階調の中間部において、コントラストを弱める入出力特性を有する第２階調カーブと、のうち、前記ローパス処理部により生成されたローパス画像の階調変換処理に用いる階調カーブを設定する設定部と、
前記設定部により設定された階調カーブを用いて前記ローパス処理部により生成されたローパス画像に対して階調変換処理を行う階調変換部と、
前記階調変換部により階調変換処理が行われたローパス画像に基づいて、前記撮像部により生成された前記複数の画像を合成する合成部と
を備えることを特徴とする撮像装置。
【請求項２】
請求項１に記載の撮像装置において、
前記撮像部により生成された前記複数の画像に対してホワイトバランス調整を行うホワイトバランス調整部をさらに備え、
前記ホワイトバランス調整部は、前記複数の画像のそれぞれについて、個別に、自動調節に基づく前記ホワイトバランス調整を行う
ことを特徴とする撮像装置。
【請求項３】
請求項１に記載の撮像装置において、
前記発光部は、前記撮像部による撮像時の露光終了と略同時に前記被写体の照明を終了する
ことを特徴とする撮像装置。
【請求項４】
請求項１に記載の撮像装置において、
前記ローパス処理部は、前記複数の画像のうち、前記撮像部による撮像時における前記発光量が最も少ない画像に基づいて前記ローパス画像を生成する
ことを特徴とする撮像装置。
【請求項５】
請求項１に記載の撮像装置において、
前記発光部は、前記被写体において複数の領域の距離を測距し、測距結果に基づいて、前記複数の領域ごとに適正な発光量を求めることにより、前記複数回の撮像のそれぞれにおける前記発光量を決定する
ことを特徴とする撮像装置。
【請求項６】
請求項５に記載の撮像装置において、
前記ローパス処理部は、前記複数の領域のうち、最も近距離の領域において適正な前記発光量で、前記発光部による照明が行われた際に前記撮像部により生成された画像に基づいて前記ローパス画像を生成する
ことを特徴とする撮像装置。
【発明の詳細な説明】
【技術分野】
【０００１】
本発明は、撮像装置に関する。
【背景技術】
【０００２】
従来より、補助的に被写体を照明する発光部を備えた撮像装置に関する様々な技術が考えられている。例えば、特許文献１の発明は、発光部による照明光の発光量を、ある距離の特定の被写体に合わせると、それ以外の異なる距離に存在する別の被写体については、露出量がオーバーになったりアンダーになったりするという問題を解決するためのものである。特許文献１の発明では、このような問題を解決するために、複数の発光装置を備え、いわゆる多灯撮影を行う技術が開示されている。
【先行技術文献】
【特許文献】
【０００３】
【特許文献１】特許第３９７６９０５号
【発明の概要】
【発明が解決しようとする課題】
【０００４】
特許文献１の発明では、複数の発光装置を備える必要があるとともに、それらの発光装置を的確に連動して制御する必要がある。そのため、システム全体が大型化するだけでなく、システム内の制御が複雑化するという問題がある。
【０００５】
本発明の撮像装置は、複数の発光装置（発光部）を備えることなく、画像全体において好ましい明るさの画像を得ることを目的とする。
【課題を解決するための手段】
【０００６】
本発明の撮像装置は、被写体の撮像を複数回繰り返し、複数の画像を生成する撮像部と、前記複数回の撮像において、それぞれ異なる発光量で前記被写体を照明する発光部と、前記複数の画像のうち、少なくとも１枚の画像に対してローパス処理を行い、ローパス画像を生成するローパス処理部と、階調の中間部において、コントラストを強める入出力特性を有する第１階調カーブと、階調の中間部において、コントラストを弱める入出力特性を有する第２階調カーブと、のうち、前記ローパス処理部により生成されたローパス画像の階調変換処理に用いる階調カーブを設定する設定部と、前記設定部により設定された階調カーブを用いて前記ローパス処理部により生成されたローパス画像に対して階調変換処理を行う階調変換部と、前記階調変換部により階調変換処理が行われたローパス画像に基づいて、前記撮像部により生成された前記複数の画像を合成する合成部とを備える。
【０００７】
なお、前記撮像部により生成された前記複数の画像に対してホワイトバランス調整を行うホワイトバランス調整部をさらに備え、前記ホワイトバランス調整部は、前記複数の画像のそれぞれについて、個別に、自動調節に基づく前記ホワイトバランス調整を行っても良い。
【０００８】
また、前記発光部は、前記撮像部による撮像時の露光終了と略同時に前記被写体の照明を終了しても良い。
【０００９】
また、前記ローパス処理部は、前記複数の画像のうち、前記撮像部による撮像時における前記発光量が最も少ない画像に基づいて前記ローパス画像を生成しても良い。
【００１０】
また、前記発光部は、前記被写体において複数の領域の距離を測距し、測距結果に基づいて、前記複数の領域ごとに適正な発光量を求めることにより、前記複数回の撮像のそれぞれにおける前記発光量を決定しても良い。
【００１１】
また、前記ローパス処理部は、前記複数の領域のうち、最も近距離の領域において適正な前記発光量で、前記発光部による照明が行われた際に前記撮像部により生成された画像に基づいて前記ローパス画像を生成しても良い。
【発明の効果】
【００１３】
本発明によれば、複数の発光装置（発光部）を備えることなく、画像全体において好ましい明るさの画像を得ることができる。
【図面の簡単な説明】
【００１４】
【図１】第１実施形態の電子カメラ１の構成を示す図である。
【図２】第１実施形態の電子カメラ１の機能ブロック図である。
【図３】第１実施形態の電子カメラ１の撮影時の動作を示すフローチャートである。
【図４】ローパスフィルタについて説明する図である。
【図５】階調カーブGm1について説明する図である。
【図６】階調カーブGm1について説明する図である。
【発明を実施するための形態】
【００１５】
＜第１実施形態＞
以下、図面を用いて本発明の第１実施形態について説明する。第１実施形態では、本発明の撮像装置の一例として、一眼レフタイプの電子カメラを用いて説明する。
【００１６】
図１は、第１実施形態の電子カメラ１の構成を示す図である。図１に示すように、電子カメラ１は、撮影レンズ２、絞り３、クイックリターンミラー４、サブミラー５、拡散スクリーン６、コンデンサレンズ７、ペンタプリズム８、ビームスプリッタ９、接眼レンズ１０、結像レンズ１１、測光センサ１２、シャッタ１３、撮像素子１４、焦点検出部１５の各部を備える。
【００１７】
測光センサ１２は、例えば、分割測光が可能な測光センサである。また、撮像素子１４は、例えばＣＣＤ（Charge Coupled Device）やＣＭＯＳ（Complementary Metal Oxide Semiconductor）などの半導体デバイスである。焦点検出部１５は、例えば、位相差方式の焦点検出を行い、撮影レンズ２の焦点状態を検出する。
【００１８】
また、電子カメラ１は、撮像により生成された画像などを表示する液晶モニタなどのモニタ１６、被写体を照明する発光部１７、発光部１７を制御する発光制御部１８、各部を制御する制御部１９をさらに備える。発光部１７による発光のＯＮ／ＯＦＦはユーザの指示に基づくマニュアル設定でも良いし、制御部１９によるオート設定でも良い。また、マニュアル設定とオート設定とをユーザ指示に基づき切換可能とすると良い。さらに、発光部１７による発光量は、制御部１９および発光制御部１８により制御可能である。制御部１９は、内部に不図示のメモリを備え、各部を制御するためのプログラムを予め記録する。
【００１９】
非撮影時、すなわち撮影を行わない場合には、クイックリターンミラー４は、図１に示すように、４５°の角度に配置される。そして、撮影レンズ２および絞り３を通過した光束は、クイックリターンミラー４で反射され、拡散スクリーン６、コンデンサレンズ７、ペンタプリズム８、ビームスプリッタ９を介して接眼レンズ１０に導かれる。ユーザは、接眼レンズ１０を介して被写体の像を目視することにより構図確認を行う。一方、ビームスプリッタ９により、上方に分割された光束は、結像レンズ１１を介して測光センサ１２の撮像面上に再結像される。また、クイックリターンミラー４を透過した光束は、サブミラー５を介して焦点検出部１５に導かれる。
【００２０】
一方、撮影時には、クイックリターンミラー４が、破線で示す位置に退避してシャッタ１３が開放し、撮影レンズ２からの光束は撮像素子１４に導かれる。
【００２１】
図２は、第１実施形態の電子カメラ１の機能ブロック図である。図２に示すように、電子カメラ１は、図１の構成に加えて、タイミングジェネレータ２０、信号処理部２１、Ａ／Ｄ変換部２２、バッファメモリ２３、バス２４、カードインターフェース２５、圧縮伸長部２６、画像表示部２７の各部を備える。タイミングジェネレータ２０は、撮像素子１４に出力パルスを供給する。また、撮像素子１４で生成される画像の画像データは、信号処理部２１（撮像感度に対応するゲイン調整部を含む）およびＡ／Ｄ変換部２２を介して、バッファメモリ２３に一時記憶される。バッファメモリ２３は、バス２４に接続される。このバス２４には、カードインターフェース２５、図１で説明した制御部１９、圧縮伸張部２６、および画像表示部２７が接続される。カードインターフェース２５は、着脱自在なメモリカード２８と接続し、メモリカード２８に画像の画像データを記録する。また、制御部１９には、電子カメラ１のスイッチ群２９（不図示のレリーズ釦などを含む）、タイミングジェネレータ２０、および測光センサ１２が接続される。さらに、画像表示部２７は、電子カメラ１の背面に設けられたモニタ１６に画像などを表示する。
【００２２】
以上説明した構成の電子カメラ１の撮影時の動作について、図３に示すフローチャートを用いて説明する。以下説明する処理は、室内や屋外において暗い場所での撮影に好適な処理である。以下の処理は、スイッチ群２９等を介したユーザ操作に基づいて実行されても良いし、制御部１９による自動判定に基づいて実行されても良い。
【００２３】
ステップＳ１において、制御部１９は、測光センサ１２による測光結果に応じて測光演算を行う。測光演算は公知技術と同様に行われる。
【００２４】
ステップＳ２において、制御部１９は、ユーザによりスイッチ群２９を介して撮影開始が指示されたか否かを判定する。そして、制御部１９は、撮影開始が指示されたと判定するまで、ステップＳ１で説明した測光演算を繰り返し、撮影開始が指示されたと判定するとステップＳ３に進む。
【００２５】
ステップＳ３において、制御部１９は、発光量を決定する。制御部１９は、後述する１回目の撮像の発光量（第１の発光量）と、２回目の撮像の発光量（第２の発光量）とを決定する。第１の発光量は、例えば、２メートル程度の距離の被写体に適正となる小光量であり、第２の発光量は、例えば、４メートル程度の距離の被写体に適正となる大光量である。
【００２６】
ステップＳ４において、制御部１９は、各部を制御し、ステップＳ１で行った測光演算の結果に基づいて、撮像素子１４により被写体像を撮像して画像を生成する。なお、制御部１９は、撮像時に、発光制御部１８を制御し、撮像と同期して発光部１７を発光させる。この発光は、ステップＳ３で決定した第１の発光量に基づいて行われる。ただし、発光制御部１８は、制御部１９の指示にしたがって、撮像素子１４による露光終了時間と発光部１７による発光終了時間とを略同時に制御する。これは、ステップＳ４における撮像時に、定常光の影響をなるべく少なくするためである。
【００２７】
ステップＳ４の撮像により生成された画像のＲＧＢ値を、以下ではそれぞれR1[x,y]，G1[x,y]，B1[x,y]と称する。
【００２８】
そして、撮像素子１４により生成された画像の画像データは、信号処理部２１およびＡ／Ｄ変換部２２を介して、バッファメモリ２３に一時記憶される。
【００２９】
ステップＳ５において、制御部１９は、バッファメモリ２３から画像データを読み出し、通常の画像処理を行う。通常の画像処理とは、ホワイトバランス調整、補間処理、色調補正処理、階調変換処理などである。各処理の具体的な方法は公知技術と同様であるため説明を省略する。ただし、ホワイトバランス調整に関しては、制御部１９は、自動調節による、いわゆるオートホワイトバランス調整を行う。
【００３０】
ステップＳ６において、制御部１９は、再び各部を制御し、ステップＳ１で行った測光演算の結果に基づいて、撮像素子１４により被写体像を撮像して画像を生成する。なお、制御部１９は、撮像時に、発光制御部１８を制御し、撮像と同期して発光部１７を発光させる。この発光は、ステップＳ３で決定した第２の発光量に基づいて行われる。ただし、発光制御部１８は、ステップＳ４と同様に、制御部１９の指示にしたがって、撮像素子１４による露光終了時間と発光部１７による発光終了時間とを略同時に制御する。
【００３１】
ステップＳ６の撮像により生成された画像のＲＧＢ値を、以下ではそれぞれR2[x,y]，G2[x,y]，B2[x,y]と称する。
【００３２】
そして、撮像素子１４により生成された画像の画像データは、信号処理部２１およびＡ／Ｄ変換部２２を介して、バッファメモリ２３に一時記憶される。
【００３３】
ステップＳ７において、制御部１９は、バッファメモリ２３から画像データを読み出し、通常の画像処理を行う。通常の画像処理とは、ステップＳ５と同様に、ホワイトバランス調整、補間処理、色調補正処理、階調変換処理などである。各処理の具体的な方法は公知技術と同様であるため説明を省略する。ただし、ホワイトバランス調整に関しては、制御部１９は、ステップＳ５と同様に、自動調節による、いわゆるオートホワイトバランス調整を行う。
【００３４】
ステップＳ８において、制御部１９は、ステップＳ４で生成した画像の画像データに対してローパス処理を行い、ローパス画像LY1[x,y]を生成する。まず、制御部１９は、ステップＳ４で生成したR1[x,y]，G1[x,y]，B1[x,y]に基づいて、以下の式１を用いて輝度値Y1[x,y]を求める。
【００３５】
Y1[x,y]＝kr・R1[x,y]＋kg・G1[x,y]＋kb・B1[x,y]  …（式１）
式１中のkr、kg、kbは、輝度値Y1[x,y]を算出するための所定の係数である。
【００３６】
さらに、図４に例示する幅ｒが比較的広いフィルタＬｐｗと、以下の式２を用いて、ローパス画像LY1[x,y]を求める。
【００３７】
【数１】
0005772096.tif 000002
【００３８】
図４に示したフィルタＬｐｗは、例えば、一般的な輪郭強調処理に使われるフィルタと比較して幅ｒが１０倍以上程度のフィルタである。
【００３９】
ステップＳ９において、制御部１９は、ステップＳ８で生成したローパス画像LY1[x,y]に対して、階調変換処理を行い、階調変換処理後のローパス画像LY1t[x,y]を求める。階調変換処理は、以下の式３を用いて行われる。
【００４０】
LY1t[x,y]＝Gm1（LY1[x,y]）  …（式３）
式３中のGm1は、図５に示す階調カーブGm1である。階調カーブGm1は、図５に示すように、階調の中間部において、コントラストを変更する特性を加味した特性を有する入出力特性を有する。図５に示す階調カーブGm1(a)は、階調の中間部において、コントラストを強める特性を加味した階調カーブの一例である。ステップＳ９において、階調カーブGm1(a)を用いて階調変換処理を行うことにより、後述する画像合成処理に際して、合成される画像をより明確に分離して合成することができる。また、図５に示す階調カーブGm1(b)は、階調の中間部において、コントラストを弱める特性を加味した階調カーブの一例である。ステップＳ９において、階調カーブGm1(b)を用いて階調変換処理を行うことにより、後述する画像合成処理に際して、合成画像において境界部分が目立ってしまうのを抑えることができる。
【００４１】
さらに、階調カーブGm1を調整することにより、後述する画像合成処理に際して、合成する画像の明部および暗部の明るさの境界を調節することも可能である。例えば、図６に示す階調カーブGm1(c)は、合成時に、ステップＳ４で生成した画像（小発光量の発光がある状態で撮像された画像）は暗い部分に限定して用い、ステップＳ６で生成した画像（大発光量の発光がある状態で撮像された画像）の暗い側までを広く用いるための階調カーブの一例である。また、図６に示す階調カーブGm1(d)は、合成時に、ステップＳ４で生成した画像（小発光量の発光がある状態で撮像された画像）は広い輝度範囲で用い、ステップＳ６で生成した画像（大発光量の発光がある状態で撮像された画像）を明るい部分に限定して用いるための階調カーブの一例である。
【００４２】
上述した階調カーブGm1は、スイッチ群２９等を介したユーザ操作に基づいて設定されても良いし、制御部１９による自動判定に基づいて設定されても良い。制御部１９による自動判定は、例えば、公知のシーン解析などに基づき、合成されるそれぞれの画像の最適な部分を抽出可能な階調カーブGm1が設定されるようにすれば良い。また、制御部１９により、最適な階調カーブGm1を自動で生成する構成としても良い。
【００４３】
なお、このような階調カーブGm1を用いて階調変換処理を施したローパス画像LY1t[x,y]は、後述する画像合成処理において、マスクとして用いられる。
【００４４】
ステップＳ１０において、制御部１９は、ステップＳ９で階調変換処理を施したローパス画像LY1t[x,y]に基づいて、ステップＳ４で生成した画像とステップＳ６で生成した画像とに対する画像合成処理を行う。画像合成処理は、以下の式４から式６を用いてＲＧＢ値のそれぞれについて行われる。
【００４５】
Rmix[x,y]＝（R1[x,y]・LY1t[x,y]＋R2[x,y]・（255−LY1t[x,y]））÷255  …（式４）
Gmix[x,y]＝（G1[x,y]・LY1t[x,y]＋G2[x,y]・（255−LY1t[x,y]））÷255  …（式５）
Bmix[x,y]＝（B1[x,y]・LY1t[x,y]＋B2[x,y]・（255−LY1t[x,y]））÷255  …（式６）
式４から式６において、２５５は、ＲＧＢ値が２５６階調であることに由来する。ステップＳ４で生成した画像は、発光部１７による小光量の発光がある状態で撮像された画像であり、前景の部分が好適に表現された画像である。一方、ステップＳ６で生成した画像は、発光部１７による大光量の発光がある状態で撮像された画像であり、ステップＳ４で生成した画像においては、好適に表現されていない部分（発光部１７による照明が届かない部分）が好適に表現された画像である。式４から式６で説明した画像合成処理により、これらの画像を、ステップＳ９で階調変換処理を施したローパス画像LY1t[x,y]をマスクとして合成することにより、発光部１７により小光量で照明された部分も、大光量で照明された部分も含めて、画像全体において好ましい明るさの合成画像を得ることができる。
【００４６】
ステップＳ１１において、制御部１９は、ステップＳ１０で生成したRmix[x,y]，Gmix[x,y]，Bmix[x,y]からなる合成画像の画像データを、カードインターフェース２５を介してメモリカード２８に記録し、一連の処理を終了する。なお、合成画像のＲＧＢ値に対して変換処理を行い、ＹＣｂＣｒ化してから記録しても良いし、合成画像の画像データをメモリカード２８に記録する前に、圧縮伸長部２６を介して、必要に応じて画像圧縮処理（ＪＰＥＧ圧縮処理など）を施しても良い。
【００４７】
以上説明したように、第１実施形態によれば、被写体の撮像を複数回繰り返し、複数の画像を生成する撮像部と、複数回の撮像において、それぞれ異なる発光量で被写体を照明する発光部と、複数の画像のうち、少なくとも１枚の画像に対してローパス処理を行い、ローパス画像を生成するローパス処理部と、ローパス画像に基づいて、撮像部により生成された複数の画像を合成する合成部とを備える。したがって、複数の発光装置（発光部）を備えることなく、画像全体において好ましい明るさの画像を得ることができる。
【００４８】
特に、第１実施形態によれば、発光部１７により小光量で照明された状態で撮像された画像と、発光部１７により大光量で照明された状態で撮像された画像とを合成する際の重み付けを、ローパス画像LY1[x,y]に基づいて求めているため、暗部と明部が大まかに区別し、暗部または明部が１００％採用される領域では、コントラストや彩度の低下がなく、自然な合成が可能となる。これに対して、従来から行われている被写体の画像を複数作成して単純に合成する方法では、各々の画像の明るい部分同士が合成されることにより、明部のディテールが薄れてしまう場合が多い。
【００４９】
また、この合成によって、発光部１７により小光量で照明された状態で撮像された画像のうち、小光量で適正に照明された近距離側の被写体領域と、発光部１７により大光量で照明された状態で撮像された画像のうち、大光量で適正に照明された遠距離側の被写体領域とが合成されることになる。そのため、近距離に存在する被写体も遠距離に存在する被写体も適切に照明された合成画像を得ることができる。
【００５０】
＜第２実施形態＞
以下、図面を用いて本発明の第２実施形態について説明する。第２実施形態は、第１実施形の変形例である。また、第２実施形態では、第１実施形態と異なる部分についてのみ説明し、第１実施形態と同様の部分に関しては、第１実施形態と同様の符号等を用いて説明する。
【００５１】
第２実施形態の電子カメラは、第１実施形態で説明した電子カメラ１と同様の構成（図１および図２参照）を備える。ただし、発光部１７および発光制御部１８は、兆候制御機能を有する。
【００５２】
第２実施形態の電子カメラ１の撮影時の動作は、基本的に第１実施形態と同様である。以下、異なる点について説明する。
【００５３】
第２実施形態では、ステップＳ３、ステップＳ４、ステップＳ６に代えて、制御部１９は、１回目の撮像については、第１の発光量が近距離の被写体に適正となるように、アンダー目（例えば、１Ｅｖアンダー）で発光量がストップとなるように閾値を設定して撮像を行い、２回目の撮像については、第２の発光量が遠距離の被写体に適正となるように、オーバー目（例えば、１Ｅｖオーバー）で発光量がストップとなるように閾値を設定して撮像を行う。
【００５４】
以上説明したように、第２実施形態によれば、発光部による発光量を少なめの光量で調光した撮像により生成した画像と、多めの光量で調光した撮像により生成した画像とに基づいて、合成画像を生成する。したがって、第１実施形態と同様の効果を得ることができる。
【００５５】
なお、上述した各実施形態において、発光部による発光量が異なる状態での撮像を、３回以上行い、３枚以上の画像を生成しても良い。例えば、小光量、中光量、大光量の３段階で発光量の異なる状態で撮像を行い、３枚の画像を生成しても良い。この場合、最初の２枚（小光量の画像と中光量の画像）を上述した各実施形態と同様に合成し、その合成画像に対して、大光量の画像を合成すると良い。すなわち、発光量の少ない画像、つまり、近距離の被写体に適正な照明がなされた画像を基準として各合成処理を行うと良い。
【００５６】
また、上述した各実施形態において、電子カメラ１に公知の多点測距装置を備えル場合にも本発明を同様に適用することができる。この場合、複数の距離において被写体を検知した際には、それぞれの被写体について適正な発光量を求めて複数回の撮像を行い、生成した複数の画像を合成すればよい。
【００５７】
また、上述した各実施形態においては、画像合成処理を行う際の重み付けに用いるローパス画像を、発光部による発光量が最も少ない状態での撮像により生成した画像に基づいて生成する例を示したが、本発明はこの例に限定されない。例えば、被写界の状態や構図等に応じて、ローパス画像を、上述した画像以外の画像に基づいて生成しても良い。
【００５８】
また、上述した各実施形態では、本発明の技術を電子カメラ１において実現する例について説明した。しかしながら、本発明はこれに限定されるものではない。例えば、コンパクトタイプの電子カメラや動画撮影を行うムービーカメラなどにも本発明を同様に適用することができる。また、電子カメラ１においては、発光部１７が電子カメラ１と一体として構成される例を示したが、カメラ本体に対して発光部材を着脱可能な電子カメラにも本発明を同様に適用することができる。
【００５９】
また、コンピュータと画像処理プログラムとにより、上述した各実施形態で説明した画像処理をソフトウェア的に実現しても良い。この場合、各実施形態で説明したフローチャートの処理の一部または全部をコンピュータで実現する構成とすれば良い。コンピュータで実現する際には、例えば、図３のステップＳ４で生成した画像およびステップＳ６で生成した画像の画像データをコンピュータに供給し、コンピュータにおいて、図３のステップＳ５，Ｓ７〜Ｓ１１の処理を実行しても良い。また、図３のステップＳ５で画像処理を施した画像およびステップＳ７で画像処理を施した画像の画像データをコンピュータに供給し、コンピュータにおいて、図３のステップＳ８〜Ｓ１１の処理を実行しても良い。このような構成とすることにより、上述した各実施形態と同様の処理を実施することが可能になる。
【００６０】
なお、本発明は、その精神または主要な特徴から逸脱することなく、他のいろいろな形で実施することができる。そのため、前述の実施例はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する変形や変更は、全て本発明の範囲内のものである。
【符号の説明】
【００６１】
１…電子カメラ，２…撮影レンズ，１４…撮像素子，１７…発光部，１９…制御部
【図１】
0005772096.tif 000003
【図２】
0005772096.tif 000004
【図３】
0005772096.tif 000005
【図４】
0005772096.tif 000006
【図５】
0005772096.tif 000007
【図６】
0005772096.tif 000008